(57)【要約】    【課題】      不要な発信処理を抑制し、端末の状態に適合したデータ送信を実行すること。    【解決手段】  端末の移動速度、移動方向又は日時情報などの端末の状態を予め設定する条件設定部１０９を備え、携帯電話機１００が設定エリア３００にあるとき、予め設定された条件を満たしているか否かによってメール送信の実行を制御する。例えば、予め設定した特定範囲の設定エリア３００を、携帯電話機１００がどのような速度でどのような方角に移動しているか、またその時間帯・曜日は該当条件にあるかを判定した上で、メールを送信することで不要な又は不適切な内容のメール発信を未然に防止する。  【選択図】      図１
2007027903.tif 000002
【特許請求の範囲】
【請求項１】
位置情報を検出する位置検出手段と、
メール送信制御対象範囲となる特定範囲を指定する範囲指定手段と、
メール送信時の端末の状態の条件を設定する条件設定手段と、
端末の状態情報を検出する端末状態検出手段と、
メールを送信するメール送信手段と、
前記位置検出手段により検出した位置情報に基づいて端末が前記範囲指定手段により指定した特定範囲にいることを判定する位置判定手段と、
前記端末状態検出手段により検出された状態が前記条件設定手段により設定された条件を満たしているか否かを判定する条件判定手段と、
前記位置判定手段の判定結果と前記条件判定手段の判定結果に基づいて前記メール送信手段によるメール送信の実行を制御する制御手段と
を備える通信端末装置。
【請求項２】
前記メール送信手段は、設定された送信先に定型メールを送信する請求項１記載の通信端末装置。
【請求項３】
メール送信制御対象範囲となる特定範囲を指定するステップと、
メール送信時の端末の状態の条件を設定するステップと、
端末の状態情報を検出するステップと、
メールの送信先及び送信データを設定する送信データ設定ステップと、
検出した端末の位置情報と指定した特定範囲情報とを比較し、端末が指定した特定範囲にいるか否かを判定する第１判定ステップと、
検出された端末の状態情報と設定した端末の条件情報とを比較し、端末の状態が設定した条件を満たしているか否かを判定する第２判定ステップと、
前記第１及び第２判定ステップにより得られる判定結果に基づいて前記送信データ設定ステップにより設定されたメールの送信先に送信データを送信する制御を行うステップと
を有する送信制御方法。
【発明の詳細な説明】
【技術分野】
【０００１】
本発明は、メールの送信が可能な携帯電話機などの通信端末装置及び送信制御方法に関する。
【背景技術】
【０００２】
従来、携帯情報端末と位置判定端末を用い、位置判定端末からの情報を携帯情報端末に提示するシステムとして、汎用ＰＤＡ（Personal Digital Assistants）にＧＰＳ（Global Positioning System）装置を装着することにより、ＧＰＳからの位置情報をＰＤＡに表示するというものがある。
【０００３】
特許文献１には、携帯情報端末と位置判定端末とがサーバなどの中継点を介して情報をやり取りする位置利用情報提供システムが開示されている。
【０００４】
また、利用者が所持する端末の現在の位置を示す位置情報を利用者に対して提供するサービスが行われている。この情報提供サービスには、例えば、ＰＨＳ（Personal Handy-Phone System）を用いたものがある。利用者が所持しているＰＨＳの位置情報は、ＰＨＳの基地局が細かく設置されているため、この基地局単位で認識される。サーバは、ＰＨＳが通信ネゴティエーションで得た基地局の情報又は基地局の位置情報をサーバへ送信することにより、利用者のおおよその位置を認識する。サーバは、その位置情報に従って利用者が所持しているＰＨＳへ情報を送信する。
【０００５】
サーバがＰＨＳを所持する利用者の位置を監視するサービスも存在する。このサービスは、ＰＨＳから定期的に位置情報をサーバへ送信する方法が一般的である。定期的に位置情報を取得したサーバは、それを地図に反映させることにより利用者の位置を認識する。また、利用者が予め申し込んでおいた利用者にとって提供してもらいたい情報を、携帯電話などへ送信するいわゆるプッシュサービスも存在する。このサービスは、利用者が予めどのようなサービスが良いかを選択しておいて、サーバがこの利用者に適した情報を入手した時にその利用者へ情報の提供を行うというサービスである。
【０００６】
さらに、特許文献２には、現在位置が予め定める範囲から変化したか否かを検知し、検知判定に基づいて相手先電話番号に発信、又は、被制御機器に対して制御信号の発信を行う移動通信端末が開示されている。
【特許文献１】特開２００１−１６００６３号公報
【特許文献２】特開２００２−２６２３５４号公報
【発明の開示】
【発明が解決しようとする課題】
【０００７】
しかしながらこのような従来の移動通信端末にあっては、位置情報のみによりメール発信動作を行うため、発信したくない場合があるときでも自動的に発信処理を行ってしまうという問題がある。
【０００８】
本発明は、かかる点に鑑みてなされたものであり、不要な発信処理を抑制し、端末の状態に適合したデータ送信を実行することができる通信端末装置及び送信制御方法を提供することを目的とする。
【課題を解決するための手段】
【０００９】
本発明の通信端末装置は、位置情報を検出する位置検出手段と、メール送信制御対象範囲となる特定範囲を指定する範囲指定手段と、メール送信時の端末の状態の条件を設定する条件設定手段と、端末の状態情報を検出する端末状態検出手段と、メールを送信するメール送信手段と、前記位置検出手段により検出した位置情報に基づいて端末が前記範囲指定手段により指定した特定範囲にいることを判定する位置判定手段と、前記端末状態検出手段により検出された状態が前記条件設定手段により設定された条件を満たしているか否かを判定する条件判定手段と、前記位置判定手段の判定結果と前記条件判定手段の判定結果に基づいて前記メール送信手段によるメール送信の実行を制御する制御手段とを備える構成を採る。
【００１０】
本発明の送信制御方法は、メール送信制御対象範囲となる特定範囲を指定するステップと、メール送信時の端末の状態の条件を設定するステップと、端末の状態情報を検出するステップと、メールの送信先及び送信データを設定する送信データ設定ステップと、検出した端末の位置情報と指定した特定範囲情報とを比較し、端末が指定した特定範囲にいるか否かを判定する第１判定ステップと、検出された端末の状態情報と設定した端末の条件情報とを比較し、端末の状態が設定した条件を満たしているか否かを判定する第２判定ステップと、前記第１及び第２判定ステップにより得られる判定結果に基づいて前記送信データ設定ステップにより設定されたメールの送信先に送信データを送信する制御を行うステップとを有する。
【発明の効果】
【００１１】
本発明によれば、端末の移動速度、移動方向又は日時情報などの端末の状態を予め設定し、端末が特定範囲にあるとき、予め設定された条件を満たしているか否かによってメール送信の実行を制御することにより、不要な発信処理を抑制して、端末の状態に適合したデータ送信を実現することができる。その結果、発信したくない場合があるときでも自動的に発信処理を行ってしまう不具合を防止することができ、受信側にとっても着信等の無駄な動作、不適切なデータ受信に伴う誤った行動を未然に回避することができる。
【発明を実施するための最良の形態】
【００１２】
以下、本発明の実施の形態について図面を参照して詳細に説明する。
【００１３】
図１は、本発明の一実施の形態に係る通信端末装置の構成を示すブロック図である。本実施の形態は、通信端末装置を携帯電話機に適用した例である。
【００１４】
図１において、携帯電話機１００は、アンテナ１０１、無線部１０２、送受信制御部１０３、ＧＰＳアンテナ１０４、位置検出部１０５、位置情報指定部１０６、位置情報比較部１０７、端末状態検出部１０８、条件設定部１０９、端末状態比較部１１０、及びメール送信制御部１１１を備えて構成される。
【００１５】
携帯電話機１００は、図示しない基地局との間で例えばＣＤＭＡ（Code Division Multiple Access：符号分割多元接続）通信方式により無線通信を行う。
【００１６】
無線部１０２は、アンテナ１０１により基地局４５０（図３で後述する）からの信号を受信する。基地局４５０は、一般的な携帯電話機１００の基地局であり、基地局４５０を経由して他の携帯電話機と通話を行う。また、無線部１０２は、送受信制御部１０３の出力信号をＲＦ信号に変換してアンテナ１０１から送信を行う。
【００１７】
送受信制御部１０３は、メール送信制御部１１１からの情報を基に実際の送信信号の符号化等を行う。
【００１８】
位置検出部１０５は、位置情報の電波をＧＰＳ衛星等から受信するＧＰＳアンテナ１０４を介して受信した情報より、現在位置情報を、緯度／経度の２つのパラメータとして算出するＧＰＳ機能により位置情報を取得する。なお、位置判定端末の位置判定機能は、ＧＰＳのほか、ＰＨＳ・携帯電話の基地局等ユーザ端末に対して現在位置情報を与え、相手端末と接近確認から位置を検出する方法でもよい。
【００１９】
位置情報指定部１０６は、メール送信制御対象範囲となる特定範囲を指定する。
【００２０】
位置情報比較部１０７は、位置検出部１０５から出力される位置情報と位置情報指定部１０６で指定された位置情報を比較することで端末が特定範囲にいることを示す信号を出力する。
【００２１】
条件設定部１０９は、端末の移動速度、移動方向、又は日時情報（これらの組み合わせを含む）を含む端末の状態を予め設定する。
【００２２】
端末状態比較部１１０は、端末状態検出部１０８から出力される端末状態と条件設定部１０９で設定される条件を比較することで端末の状態を検出する。
【００２３】
メール送信制御部１１１は、位置情報比較部１０７及び端末状態比較部１１０からの各出力信号を利用して自立的にメールの送信を制御する。
【００２４】
また、携帯電話機１００は、ＬＣＤディスプレイ等から構成され、受信した情報の内容等を表示画面２００に表示する表示部１５０（後述する図２参照）を備える。また、データ入力や各種設定機能の指示を行うためのキーボード，テンキー，十字キー等からなる操作部（図示略）を備える。上記位置情報指定部１０６及び条件設定部１０９は、上記操作部によりユーザが設定条件等を入力するものである。
【００２５】
また、上記位置情報比較部１０７、端末状態比較部１１０、及びメール送信制御部１１１は、自動メール送信処理の実行を含む装置全体の制御を行うＣＰＵ等からなる制御部により構成される。上記ＣＰＵは、ＲＯＭ上のプログラムに従い、演算に使用するデータを記憶したメモリを使用してアプリケーション処理等各種処理を実行する。ＲＯＭは、ＣＰＵが動作する際に必要なプログラム、制御データ等の固定データを記憶する読出し専用の半導体メモリである。ＲＡＭは、自動メール送信処理に関するデータや演算に使用するデータ及び計算結果等を一時的に記憶するいわゆるワーキングメモリとして使用される。また、ダウンロードした一定地域の地図画像を記憶する。
【００２６】
また、図示は省略するが、端末は、日時時刻を計時、あるいは、一定時間の経過を計測するための計時部、外部記録装置や各種機器を接続するためのインタフェースを備える。
【００２７】
以下、上述のように構成された通信端末装置の動作について説明する。
【００２８】
図２は、携帯電話機１００の表示部１５０の表示画面２００を示す図であり、図２（ａ）はそのエリア設定画面、図２（ｂ），（ｃ），（ｄ）はその条件設定画面、図２（ｅ），（ｆ）はその定型メール設定画面である。
【００２９】
まず、携帯電話機１００の表示部１５０において、あらかじめメールの送信条件を設定する。
【００３０】
最初に、「エリア設定」を行う。図２（ａ）は、表示画面２００に表示されたエリア設定画面２１０を示す。エリア設定画面２１０では、地図画像２１１が表示され、地図画像２１１上には位置設定カーソル２１２が表示される。なお、表示画面２００下段にはスクロールキー２０１及び決定キー２０２が、上段には受信状況を示すアンテナ２０３が表示される。
【００３１】
ユーザは、キー等の操作部を操作して、地図画像２１１上の位置設定カーソル２１２を任意の位置に移動し、決定キー２０２で確定操作をして特定エリア情報設定を行う。この位置設定カーソル２１２の半径は可変である。また、表示画面２００上に所望の地図画像２１１が現れていない場合は該当方向に位置設定カーソル２１２を移動することで、表示画面２００上にカーソル移動方向から所望の地図画像２１１が現れる。また、地図画像２１１を大きく移動したいときはスクロールキー２０１により地図画像２１１を切り替える。ユーザは、表示画面２００上に表示された地図画像２１１と、その地図上に表示された方角情報を記した位置設定カーソル２１２を利用し、位置情報指定部１０６に対し特定エリア情報を設定する。図２（ａ）では、ユーザが自宅に帰る場合を想定し、地図画像２１１にユーザ宅２１３からの最寄駅２１４とユーザが立ち寄る病院２１５とが表示されている場合を例に採る。
【００３２】
次に、設定したエリア内における携帯電話機１００に対し「条件設定」を行う。本実施の形態では、図２（ｂ），（ｃ），（ｄ）に示すような３つの条件設定を示したが、３つに限定されるものではなく、また設定内容も限定されない。
【００３３】
図２（ｂ）は条件１を設定する設定画面２２０である。設定画面２２０では、携帯電話機１００の移動速度、日時及び移動する方角の条件を設定する。ここでは、条件１を満たしたとき送信されるメール送信２２１、速度条件２２２、日時条件２２３、方角条件２２４の各項目を設定する。この条件１が満たされると、設定した型のメールが予め指定された送信先に送信される。すなわち、メールの送信は位置情報だけでは送信可能条件とはならず、位置情報と共に設定される条件を携帯電話機１００が満たしたとき初めて指定された送信先に該当メールが送信される。
【００３４】
まず、図２（ｂ）に示す条件１では、速度条件２２２は時速５ｋｍ／ｈ以上、日時条件２２３は毎日２０:００〜２１:００の時間帯、方角条件２２４はすべての方角から中心に向かって移動していることがそれぞれ条件として設定され、その条件を満たすことで実行される処理としてメール送信２２１「定型メール＃１」を設定している。定型メールの設定は、図２（ｅ）の定型メール＃１設定画面により設定可能である。図２（ｂ）の「定型メール＃１」にカーソルを合わせ実行キーを操作すれば、図２（ｅ）の定型メール＃１設定画面に移行する。図２（ｅ）の定型メール＃１設定画面２３０では、定型メール＃１の設定内容として、送信メールの宛先、件名、本文を設定する。
【００３５】
図２（ｃ）は条件２を設定する設定画面２４０である。図２（ｂ）と同じ項目には同一符号を付している。設定画面２４０では、条件２を満たしたとき送信されるメール送信２４１、速度条件２２２、日時条件２２３、方角条件２２４の各項目を備える。この条件２が満たされると、定型メール＃２が予め指定された送信先に送信される。すなわち、メールの送信は位置情報だけでは送信可能条件とはならず、位置情報と共に設定される条件を携帯電話機１００が満たしたとき初めて指定された送信先に該当メールが送信される。
【００３６】
図２（ｃ）に示す条件２では、速度条件は時速５ｋｍ／ｈ以下、日時条件は毎週月曜日で時間帯指定なし、方角条件はエリア内のＮＷ（北西）付近で留まっていることがそれぞれ条件として設定され、その条件を満たすことで実行される処理としてメール送信２４１「定型メール＃２」を設定している。また、定型メール＃１の場合と同様に、定型メール＃２についても、図２（ｆ）の定型メール＃２設定画面により設定可能である。図２（ｆ）の定型メール＃２設定画面２５０では、定型メール＃２の設定内容として、送信メールの宛先、件名、本文を設定する。
【００３７】
図２（ｄ）は条件３を設定する設定画面２６０である。図２（ｂ）と同じ項目には同一符号を付している。設定画面２６０は、条件３のメール未送信の画面であり、各項目の設定はない。
【００３８】
条件３では、速度条件、日時条件、及び方角条件の設定はなく、設定したエリア範囲内に端末が進入しても条件なしの場合に実施される処理としてメールが送信されない「メール未送信２６１」を設定している。このとき、例えば「定型メール＃３」として無条件でのメール送信を設定することも可能である。
【００３９】
次に、上記メールの送信条件を設定した状態における携帯電話機１００の自動メール送信動作について説明する。
【００４０】
図３は、上記設定エリア内で上記条件１を満たす端末の移動状況例を示す図、図４は、上記設定エリア内で上記条件２を満たす端末の移動状況例を示す図、図５は、上記設定エリア内で上記条件３のメール発信処理を行わない端末の移動状況例を示す図である。
【００４１】
〔動作例１〕
図３に示すように、携帯電話機１００は基地局４５０の通信エリア４６０内にあるものとする。また、通信エリア４６０内には、図２（ａ）のエリア設定画面２１０で設定された設定エリア３００があり、その中心にユーザの自宅３１０がある場合を例に採る。いま、携帯電話機１００が、設定エリア３００内に進入し、その後自宅３１０方向（エリア中心部）に向けて移動している。このとき、時速５ｋｍ／ｈ以上、日時２０:００〜２１:００の範囲内であれば、定型メール＃１で設定したメールが送信される。すなわち、時速５ｋｍ／ｈ以上でかつ日時２０:００〜２１:００の範囲内である場合に限り、定型メール＃１（図２（ｅ）参照）が、宛先（自宅３１０で待つ家族等のメールアドレス）に送信される。例えば、図２（ａ）に示す最寄駅２１４から自転車で帰宅する場合や設定エリア３００を車で移動して自宅３１０に向かう場合など、徒歩以外で自宅３１０に向かう場合であって、その時間帯が夜（２０:００〜２１:００）であるときに、図２（ｅ）に件名「もうすぐ帰る」定型メール＃１が自宅３１０の家族等に通知される。時速５ｋｍ／ｈ以下の徒歩で移動している場合や上記時間帯でない場合は、位置情報を基に算定される設定エリア３００内で自宅３１０に向かって携帯電話機１００が移動したとしても上記定型メール＃１は送信されない。いずれも上記定型メール＃１の内容（晩ごはんの準備連絡）を通知する状況にないからである。このように、取得した位置情報を基に携帯電話機１００が設定エリア（特定範囲）３００にいる又は設定エリア３００から外れるだけではメールの送信可能条件とはならず、位置情報と共に設定される条件を携帯電話機１００が満たしたとき初めて指定の送信先に定型メール＃１が送信される。
【００４２】
〔動作例２〕
図４に示すように、図３の場合と同様に通信エリア４６０内には、設定エリア３００とその中心にユーザの自宅３１０がある。
【００４３】
条件２は、ユーザの通院を家族等に知らせるメール発信を設定するものである。図２（ａ）の地図画像２１１に示すように、自宅３１０の北西方向にユーザが通院する病院２１５があり、ユーザは毎週月曜日に通院するものとする。
【００４４】
図２（ｃ）に示す条件２では、速度条件は時速５ｋｍ／ｈ以下、日時条件は毎週月曜日で時間帯指定なし、方角条件はエリア内のＮＷ（北西）付近で留まっていることが設定される。条件２を満たすとメール送信２４１「定型メール＃２」が送信される。いま、携帯電話機１００が、設定エリア３００内に進入し、その後設定エリア３００内で移動を続け、現在設定エリア３００内の北西方向付近でほぼ停止状態にある。このとき、時速５ｋｍ／ｈ以下で、かつ月曜日であれば、図２（ｆ）に示す定型メール＃２が自宅３１０の家族等に通知される。時速５ｋｍ／ｈ以下の徒歩で移動していない場合や月曜日でない場合は、設定エリア３００内で自宅３１０の北西に向かって携帯電話機１００が移動したとしても上記定型メール＃２は送信されない。このように、取得した位置情報を基に携帯電話機１００が設定エリア３００にいる又は設定エリア３００から外れるだけではメールの送信可能条件とはならず、位置情報と共に設定される条件を携帯電話機１００が満たしたとき初めて指定の送信先に定型メール＃２が送信される。
【００４５】
〔動作例３〕
条件３は、条件設定によりメール未送信を設定するものである。図５に示すように、携帯電話機１００が設定エリア３００内に進入するものの、その後設定エリア３００内から設定エリア３００外へ移動、又は、設定エリア３００内に留まるが条件１や条件２を満たさない状態である。この場合は、メールを送信しない。これにより、位置情報のみを基に携帯電話機１００が設定エリア３００にいるだけで自動的に発信動作が行われる不具合が防止され、不要なメールの発信を抑制することができる。
【００４６】
以上のように、本実施の形態によれば、端末の移動速度、移動方向又は日時情報などの端末の状態を予め設定する条件設定部１０９を備え、携帯電話機１００が設定エリア３００にあるとき、予め設定された条件を満たしているか否かによってメール送信の実行を制御するので、予め設定した特定範囲の設定エリア３００を、携帯電話機１００がどのような速度でどのような方角に移動しているか、またその時間帯・曜日は該当条件にあるかを判定した上で、メールを送信することができ、不要な又は不適切な内容のメール発信を未然に防止することができる。また、自動メール発信を受ける受信側でも不要な着信の回数が減少するので、着信に応答する手間が掛からなくなる効果がある。また、自動メールで送られる定型メールの内容も適切なものとなるため精確な対処が可能になる。以上は全体として自動メール送受信システムの使用感及び満足度の向上につながる。
【００４７】
また、日時の条件設定機能は勿論のこと、端末の移動速度や方角は端末の位置情報の履歴を基に計算により算出することができるため、特別な部材は不要で小型な構成が可能となる。同様な理由で部品点数の増加を招くことなく、低コストでしかも実施が容易であり携帯電話機等の携帯端末に幅広く適用することができる。
【００４８】
以上の説明は本発明の好適な実施の形態の例証であり、本発明の要旨を逸脱しない範囲内において種々変更を加え得ることは勿論である。例えば、通信端末装置として携帯電話機等の移動端末としているが、移動端末に限らず通信機能を持った又はその融合された装置に適用可能である。また、データ送受信のできる装置として、ＰＤＡ（Personal Digital Assistants）や小型ノート型パソコンに代表される情報機器機能に融合された装置であってもよく、全てのシステムに適用可能である。また、送受信データの内容はどのようなものであってもよい。
【００４９】
また、本実施の形態では、メール送信を例に採り説明したが、電子メールに限定されず、メッセージを伝える手段であれば何でもよい。
【００５０】
また、本実施の形態では、端末の移動速度、移動方向、又は日時情報を端末の状態として予め条件に設定しているが、設定条件の種類、形式、それらの組み合わせなどは前述した実施の形態に限られない。
【００５１】
また、本実施の形態では通信端末装置及び携帯電話機という名称を用いたが、これは説明の便宜上であり、移動端末、無線通信端末、自動メール発信装置及び方法等であってもよい。
【００５２】
さらに、通信端末装置に用いられる移動通信方式は、ＴＤＭＡ方式、ＣＤＭＡ方式等どのような方式でもよく、位置情報取得機能は、ＧＰＳのほか、ＰＨＳ・携帯電話の基地局等ユーザ端末に対して現在位置情報を与え、相手端末と接近確認から位置を検出する方法でもよい。
【００５３】
以上説明した通信端末装置及び送信制御方法は、この通信端末装置を機能させるためのプログラムでも実現される。このプログラムはコンピュータで読み取り可能な記録媒体に格納されている。
【産業上の利用可能性】
【００５４】
本発明に係る通信端末装置及び送信制御方法は、位置情報を基に自立的にデータの送信を行う通信端末装置のデータ発信機能を抑制するシステムに有用である。これにより、通信端末装置が不要又は不適切な内容の発信処理の未然防止など、通信端末装置を用いた自動メール送信機能の普及による問題を解決することが可能となる。
【図面の簡単な説明】
【００５５】
【図１】本発明の一実施の形態に係る通信端末装置の構成を示すブロック図
【図２】上記実施の形態に係る通信端末装置の表示部の表示画面を示す図
【図３】上記実施の形態に係る通信端末装置の移動状況例を示す図
【図４】上記実施の形態に係る通信端末装置の移動状況例を示す図
【図５】上記実施の形態に係る通信端末装置の移動状況例を示す図
【符号の説明】
【００５６】
１００  携帯電話機
１０１  アンテナ
１０２  無線部
１０３  送受信制御部
１０４  ＧＰＳアンテナ
１０５  位置検出部
１０６  位置情報指定部
１０７  位置情報比較部
１０８  端末状態検出部
１０９  条件設定部
１１０  端末状態比較部
１１１  メール送信制御部
１５０  表示部
３００  設定エリア
４５０  基地局
【図１】
2007027903.tif 000003
【図２】
2007027903.tif 000004
【図３】
2007027903.tif 000005
【図４】
2007027903.tif 000006
【図５】
2007027903.tif 000007